(57)【特許請求の範囲】
【請求項１】
ターゲットの照明を行う方法であって、前記方法は、
無線通信モジュールを含む画像記録デバイスを使用して、前記画像記録デバイスに対して第１の距離内に位置する１つ又は複数の照明ユニットを選択するステップであって、各照明ユニットは、複数の照明効果の１つ又は複数を有する光を発することが可能なＬＥＤベース光源を含む、選択するステップと、
前記画像記録デバイスが画像を取得するか、又はビデオを記録する際に、前記複数の照明効果の１つ又は複数を用いてターゲットの照明を行う要求を、選択された照明ユニットの１つ又は複数に前記無線通信モジュールを介して通信するステップとを含み、
前記選択するステップは、前記画像記録デバイスが、前記第１の距離内に位置する照明ユニットによって受信される信号を一斉送信するステップ、前記照明ユニットのうちの１つ又は複数からの１つ又は複数の応答を受信するステップ、及び前記１つ又は複数の照明ユニットが前記画像記録デバイスに対してある範囲内に配置されているかどうかを決定することにより前記１つ又は複数の照明ユニットを前記ターゲットに関連して位置決めするステップを含む、
方法。
【請求項２】
各照明ユニットは、無線通信モジュールを更に含む、請求項１に記載の方法。
【請求項３】
前記照明ユニットは、前記無線通信モジュールを介してネットワークに接続され、前記通信するステップは、前記ネットワークを介した通信を含む、請求項２に記載の方法。
【請求項４】
前記画像記録デバイスは、周囲光のパラメータを決定するセンサを更に含む、請求項１に記載の方法。
【請求項５】
前記画像記録デバイスは、前記複数の照明効果の１つ又は複数に関してユーザからデータを取得するユーザインタフェースを更に含む、請求項１に記載の方法。
【請求項６】
前記画像記録デバイスが画像を取得するか、又はビデオを記録する際に、前記複数の照明効果の１つ又は複数を用いてターゲットの照明を行う要求に関して、前記ユーザインタフェースを介してユーザからデータを取得するステップを更に含む、請求項５に記載の方法。
【請求項７】
ターゲットの画像を取得するか、又はターゲットのビデオを記録する画像記録デバイスであって、無線通信モジュール、プロセッサ、及び前記プロセッサによって実行可能な命令の組を含む非一時的コンピュータ可読ストレージ媒体を含み、
前記命令の組は、少なくとも、
前記無線通信モジュールを使用して、前記画像記録デバイスから第１の距離内に位置する１つ又は複数の照明ユニットであって、複数の照明効果の１つ又は複数を有する光を発することが可能なＬＥＤベース光源を含む、１つ又は複数の照明ユニットを選択することと、
前記画像記録デバイスが画像を取得するか、又はビデオを記録する際に、前記複数の照明効果の１つ又は複数を用いてターゲットの照明を行う要求を、選択された照明ユニットの１つ又は複数に通信するように前記無線通信モジュールに指示させることとを可能とし、
前記選択することは、前記画像記録デバイスが、前記第１の距離内に位置する照明ユニットによって受信される信号を一斉送信すること、前記照明ユニットのうちの１つ又は複数から１つ又は複数の応答を受信すること、及び前記１つ又は複数の照明ユニットが前記画像記録デバイスに対してある範囲内に配置されているかどうかを決定することにより前記１つ又は複数の照明ユニットを前記ターゲットに関連して位置決めすることを含む、
画像記録デバイス。
【請求項８】
各照明ユニットは、無線通信モジュールを更に含む、請求項７に記載の画像記録デバイス。
【請求項９】
前記画像記録デバイスは、周囲光のパラメータを決定するセンサを更に含む、請求項７に記載の画像記録デバイス。
【請求項１０】
前記複数の照明効果の１つ又は複数を用いてターゲットの照明を行う要求は、決定された前記パラメータに少なくとも部分的に基づく、請求項９に記載の画像記録デバイス。
【請求項１１】
前記複数の照明効果の１つ又は複数を用いてターゲットの照明を行う要求は、ユーザから取得されたデータに少なくとも部分的に基づく、請求項７に記載の画像記録デバイス。
【請求項１２】
ターゲットの照明を行う照明システムであって、複数の照明効果の１つ又は複数を有する光を発することが可能なＬＥＤベース光源、通信モジュール、及び前記通信モジュールと前記ＬＥＤベース光源との間に動作可能に接続されたコントローラを含む照明ユニットを含み、前記照明ユニットは、無線通信モジュールを介してネットワークに接続され、
前記照明システムは、無線通信モジュールを含む画像記録デバイスを更に含み、
前記画像記録デバイスは、前記画像記録デバイスが画像を記録する際に、複数の照明効果の１つ又は複数を用いてターゲットの照明を行う要求を照明ユニット通信モジュールに無線で送信するようにプログラムされ、前記コントローラは、前記要求に応答して、１つ又は複数の照明効果を発するように前記ＬＥＤベース光源に指示し、
前記画像記録デバイスは、複数のネットワーク化された照明ユニットから少なくとも前記照明ユニットを選択し、
当該選択することは、前記画像記録デバイスが、第１の距離内に位置する照明ユニットによって受信される信号を一斉送信すること、前記照明ユニットのうちの１つ又は複数から１つ又は複数の応答を受信すること、及び前記１つ又は複数の照明ユニットが前記画像記録デバイスに対してある範囲内に配置されているかどうかを決定することにより前記１つ又は複数の照明ユニットをターゲットに関連して位置決めすることを含む、照明システム。
【請求項１３】
前記ターゲットの照明を行う前記要求は、少なくとも部分的に前記ネットワークを介して送信され、前記要求は、決定されたパラメータに少なくとも部分的に基づいている、請求項１２に記載の照明システム。
【請求項１４】
前記照明ユニットは、個々にアドレス指定可能である、請求項１２に記載の照明システム。
【請求項１５】
前記画像記録デバイスは、周囲光のパラメータを決定するセンサを更に含む、請求項１２に記載の照明システム。
【発明の詳細な説明】
【技術分野】
【０００１】
[0001]  本発明は、概して、ネットワーク化照明ユニットを使用して、１つ又は複数の照明効果を用いてターゲットの照明を行うことに向けられる。より具体的には、本明細書に開示される様々な発明的方法及び装置は、ネットワーク化照明ユニットと無線で連携するカメラ又は記録デバイスを用いたターゲットの照明に関する。
【背景技術】
【０００２】
[0002]  ネットワーク化照明システムは、小売及び住居環境の両方でより進化及び統合しており、及びユーザの環境を向上させるためと、安全性、生産性、楽しみ、及びリラクゼーションを向上させるためとに益々使用されている。発光ダイオード（ＬＥＤ：light-emitting device）技術における最近の進歩は、多種多様な用途のための、色、強度、及び方向におけるバリエーションを含む様々な照明効果を可能にする効率的なフルスペクトル照明源をもたらした。
【０００３】
[0003]  これらのネットワーク化照明システムの幾つかは、多種多様な強度、色、及び色が変化する照明効果を作り出すために、異なる色を生成可能な１つ又は複数のＬＥＤを含む１つ又は複数の光源及びＬＥＤの出力を個々に制御するコントローラを特徴とする。コントローラは、例えば照明効果を設定又は調節するために、照明システムの有線又は無線通信媒体上で、１つ又は複数の光源にコマンドを送信する。これらのコマンドは、ネットワーク化照明システム内の１つの光源にアドレス指定することができ、又はシステム内の複数の光源にアドレス指定することができる。
【０００４】
[0004]  十分に明るい照明効果を作り出すために、方向性照明効果を用いて目立たせる若しくは強調するために、又は色付き照明効果を用いて魅力的な表現を作り出すために、環境又は物体の照明を行うことが望ましいことが多い。例えば、多くのスチール写真撮影カメラは、フラッシュユニット、即ち、コントローラからの信号に応答して、光の制御パルスを出力する光源を利用する。同様に、多くのビデオカメラは、記録される物体、人、又はシーンの照明を行う明るい光源を利用する。フラッシュユニット又は明るい光源は、一般的に、撮影される物体、人、又はシーンの照明のために、カメラ又は記録デバイスに機械的に取り付けられる。任意選択的に、フラッシュユニット又は明るい光源は、カメラに機械的に取り付けられたフラッシュユニットに加えて、又はその代わりに、カメラから幾らか離れて配置され得る。
【０００５】
[0005]  フラッシュユニット又はビデオカメラ光源は、光出力を開始及び終了する信号をコントローラから受信する。しかしながら、これらのフラッシュユニット又は光源は、それらの照明効果範囲が限られており、動的光効果を連携して作り出すことが難しい。加えて、カメラ又は記録デバイスは、利用可能なフラッシュユニット又は光源のサイズ及び数の両方によって制限を受ける場合があり、このことは、大きい又は暗い空間において不十分となり得る。従って、ネットワーク化光源と無線で連携するカメラ又は記録デバイスを使用して様々な照明効果を用いてターゲットの照明を行う方法に対するニーズが当該技術分野において存在する。
【発明の概要】
【課題を解決するための手段】
【０００６】
[0006]  本開示は、１つ又は複数のＬＥＤベース光源を有するネットワーク化照明ユニットと無線で連携するカメラ又は記録デバイスを使用して、様々な照明効果の１つ又は複数を用いてターゲットの照明を行う発明的方法及び装置に向けられる。上記を鑑みて、様々な実施形態及び実装形態は、カメラ又は他の記録デバイスが、デバイスの特定の近さに位置する１つ又は複数のネットワーク化照明ユニットを識別し、及びそれらと無線通信し、且つ１つ又は複数の照明効果を有する光を発するように識別された照明ユニットに指示する、システムに向けられる。照明効果は、数ある照明効果の中でも、高強度フラッシュ若しくは持続光等の強度、特定の色の光、又は方向性光であり得る。照明効果は、カメラ若しくは記録デバイスのユーザによってプログラム若しくは決定され得、又はデバイス若しくは周囲照明ユニットの何れかに関連するセンサによって自動的に決定され得る。
【０００７】
[0007]  例えば、実施形態によっては、カメラ又は他の記録デバイスは、スマートフォン又は他の携帯コンピューティングデバイスであり、及びユニットのＬＥＤベース光源に１つ又は複数の照明効果を有する光を発するように指示するために、１つ又は複数のネットワーク化照明ユニットを識別し、特徴付け、且つそれらと通信するように構成又はプログラムされている、アプリケーション等のコンピュータプログラムを含む。識別された光源は、撮影又は記録されるターゲットがプログラムされた照明効果によって影響を受けることができるように、画像取得デバイスに対して特定の近さに位置する光源である。携帯コンピューティングデバイスが画像を取得又は記録する準備ができると、デバイスは、１つ又は複数のプログラムされた照明効果を有する光を発するように光源に指示するために、識別されたネットワーク化光源と通信及び連携する。
【０００８】
[0008]  例えば、実施形態によっては、ユーザが、例えばカメラ、ビデオカメラ、スマートフォン、又は携帯コンピューティングデバイスであり得る記録デバイスを用いて画像を取得する際に、記録デバイスは、ネットワーク化照明ユニットと通信し、及び記録デバイスのフラッシュユニットとして機能するか、又は記録デバイスの付属フラッシュユニットを向上させるように、その照明ユニットのＬＥＤベース光源に指示する。他の実施形態では、ＬＥＤベース光源は、例えば、ビデオを記録する際に持続光源として動作する。
【０００９】
[0009]  一般的に、一態様では、本発明は、ターゲットの照明を行う方法であって、無線通信モジュールを含む画像記録デバイスを使用して、画像記録デバイスに対して第１の距離内に位置する任意の照明ユニットを識別するステップであって、各照明ユニットは、複数の照明効果の１つ又は複数を有する光を発することが可能なＬＥＤベース光源を含む、ステップと、画像記録デバイスが画像を取得するか、又はビデオを記録する際に、複数の照明効果の１つ又は複数を用いてターゲットの照明を行う要求を、識別された照明ユニットの１つ又は複数に無線通信モジュールを介して通信するステップとを含む、方法に関する。
【００１０】
[0010]  ある実施形態によれば、各照明ユニットは、無線通信モジュールを更に含む。
【００１１】
[0011]  様々な実施形態において、照明ユニットは、無線通信モジュールを介してネットワークに接続され、及び通信ステップは、例えば、インターネット及び／又はローカルネットワーク等のネットワークを介した通信を含む。
【００１２】
[0012]  ある実施形態によれば、第１の距離は、ターゲットが複数の照明効果の１つ又は複数によって影響を受ける任意の距離である。
【００１３】
[0013]  ある実施形態によれば、画像記録デバイスは、周囲光のパラメータを決定するように構成されたセンサを更に含む。
【００１４】
[0014]  複数の照明効果の１つ又は複数を用いてターゲットの照明を行う要求は、決定されたパラメータに少なくとも部分的に基づき得る。
【００１５】
[0015]  ある実施形態によれば、画像記録デバイスは、複数の照明効果の１つ又は複数に関してユーザからデータを取得するように構成されたユーザインタフェースを更に含む。
【００１６】
[0016]  ある実施形態によれば、本方法は、画像記録デバイスが画像を取得するか、又はビデオを記録する際に、複数の照明効果の１つ又は複数を用いてターゲットの照明を行う要求に関して、ユーザインタフェースを介してユーザからデータを取得するステップを更に含む。
【００１７】
[0017]  一般的に、一態様では、本発明は、ターゲットの画像を取得するか、又はビデオを記録するように構成された画像記録デバイスであって、無線通信モジュール、プロセッサ、及びプロセッサによって実行可能な命令の組を含む非一時的コンピュータ可読ストレージ媒体を含み、命令の組は、少なくとも、無線通信モジュールを使用して、画像記録デバイスから第１の距離内に位置する任意の照明ユニットであって、複数の照明効果の１つ又は複数を有する光を発することが可能なＬＥＤベース光源を含む、任意の照明ユニットを識別し、且つ画像記録デバイスが画像を取得するか、又はビデオを記録する際に、複数の照明効果の１つ又は複数を用いてターゲットの照明を行う要求を、識別された照明ユニットの１つ又は複数に通信するように無線通信モジュールに指示するように動作可能である、画像記録デバイスに関する。
【００１８】
[0018]  ある実施形態によれば、各照明ユニットは、無線通信モジュールを更に含む。
【００１９】
[0019]  ある実施形態によれば、画像記録デバイスは、周囲光のパラメータを決定するように構成されたセンサを更に含む。
【００２０】
[0020]  ある実施形態によれば、複数の照明効果の１つ又は複数を用いてターゲットの照明を行う要求は、決定されたパラメータに少なくとも部分的に基づく。
【００２１】
[0021]  ある実施形態によれば、デバイスは、複数の照明効果の１つ又は複数に関してユーザからデータを取得するように構成されたユーザインタフェースを更に含む。
【００２２】
[0022]  ある実施形態によれば、複数の照明効果の１つ又は複数を用いてターゲットの照明を行う要求は、取得されたデータに少なくとも部分的に基づく。
【００２３】
[0023]  ある実施形態によれば、画像記録デバイスは、カメラ、ビデオカメラ、スマートフォン、及び／又は携帯コンピューティングデバイスである。
【００２４】
[0024]  一般的に、一態様では、本発明は、ターゲットの照明を行うように構成された照明システムであって、複数の照明効果の１つ又は複数を有する光を発することが可能なＬＥＤベース光源、通信モジュール、及び通信モジュールとＬＥＤベース光源との間に動作可能に接続されたコントローラを含む照明ユニットを含み、照明ユニットは、無線通信モジュールを介してネットワークに接続され、及び照明システムは、無線通信モジュールを含む画像記録デバイスを更に含み、画像記録デバイスは、画像記録デバイスが画像を記録する際に、複数の照明効果の１つ又は複数を用いてターゲットの照明を行う要求を照明ユニット通信モジュールに無線で送信するようにプログラムされ、コントローラは、要求に応答して、１つ又は複数の照明効果を発するようにＬＥＤベース光源に指示するように構成される、照明システムに関する。
【００２５】
[0025]  ある実施形態によれば、ターゲットの照明を行う要求は、少なくとも部分的に、例えばインターネット及び／又はローカルネットワーク等のネットワークを介して送信される。
【００２６】
[0026]  様々な実施形態において、照明ユニットは、個々にアドレス指定可能である。
【００２７】
[0027]  ある実施形態によれば、画像記録デバイスは、周囲光のパラメータを決定するように構成されたセンサを更に含む。
【００２８】
[0028]  ある実施形態によれば、複数の照明効果の１つ又は複数を用いてターゲットの照明を行う要求は、決定されたパラメータに少なくとも部分的に基づく。
【００２９】
[0029]  ある実施形態によれば、複数の照明効果の１つ又は複数を用いてターゲットの照明を行う要求は、画像記録デバイスのユーザから取得されたデータに少なくとも部分的に基づく。
【００３０】
[0030]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。
【００３１】
[0031]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００３２】
[0032]  「光源」との用語は、限定されないが、ＬＥＤベース光源（上記に定義した１つ以上のＬＥＤを含む）を含む、様々な放射源のうちの任意の１つ以上を指すと理解すべきである。
【００３３】
[0033]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００３４】
[0034]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００３５】
[0035]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００３６】
[0036]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００３７】
[0037]  低色温度は、通常、より顕著な赤色成分、すなわち、「温かい印象」を有する白色光を示す一方で、高色温度は、通常、より顕著な青色成分、すなわち、「冷たい印象」を有する白色光を示す。一例として、炎は約１，８００度Ｋの色温度を有し、従来の白熱電球は約２８４８度Ｋの色温度を有し、早朝の日光は約３，０００度Ｋの色温度を有し、曇った日の真昼の空は約１０，０００度Ｋの色温度を有する。約３，０００度Ｋの色温度を有する白色光の下で見られたカラー画像は、比較的赤みの帯びた色調を有する一方で、約１０，０００度Ｋの色温度を有する白色光の下で見られたカラー画像は、比較的青みの帯びた色調を有する。
【００３８】
[0038]  「照明固定具」、「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３９】
[0039]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００４０】
[0040]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００４１】
[0041]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００４２】
[0042]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００４３】
[0043]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００４４】
[0044]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００４５】
[0045]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００４６】
[0046]  図面中、同様の参照符号は、全般的に様々な図を通して同じ部分を指している。さらに、図面は必ずしも縮尺通りではなく、重点は全体的に本発明の原理の説明に置かれている。
【００４７】
【図１】[0047]  本発明の一実施形態による画像取得デバイス及びシステムの概略図である。
【図２】[0048]  本発明の一実施形態による画像取得デバイス及び照明ユニットの概略図である。
【図３】[0049]  本発明の一実施形態による画像取得デバイス及び照明ユニットの概略図である。
【図４】[0050]  本発明の一実施形態による、ネットワーク化光源を使用して１つ又は複数の照明効果を用いてターゲットの照明を行う方法のフローチャートである。
【図５】[0051]  本発明の一実施形態による画像取得システムの概略図である。
【図６】[0052]  本発明の一実施形態による画像取得システムの概略図である。
【図７】[0053]  本発明の別の実施形態による画像取得システムの概略図である。
【発明を実施するための形態】
【００４８】
[0054]  特にビデオ撮影又はスチール写真撮影を行う際に、十分に明るい照明効果を作り出すために、方向性照明効果を用いて目立たせる若しくは強調するために、又は色付き照明効果を用いて魅力的な表現を作り出すために、環境又は物体の照明を行うことが望ましいことが多い。例えば、多くのスチール写真撮影カメラは、フラッシュユニット、即ち、コントローラからの信号に応答して、画像取得と同時に照明効果を発するようにタイミングを合わせられた、光の制御パルスを出力する光源を利用する。同様に、多くのビデオカメラは、記録される物体、人、又はシーンの照明を行う明るい光源を利用する。しかしながら、これらのフラッシュユニット及び光源は、サイズ、数、及び照明効果の範囲が限られており、動的光効果を連携して作り出すことが難しい。
【００４９】
[0055]  より一般的に、本出願人らは、１つ又は複数のＬＥＤベース光源を有するネットワーク化照明器具と無線で連携するプログラム可能カメラ又は記録デバイスを使用して、様々な照明効果の１つ又は複数を用いてターゲットの照明を行うことが有益であることを認識及び理解した。
【００５０】
[0056]  上記を鑑みて、様々な実施形態及び実装形態は、カメラ又は他の記録デバイスが、デバイスの特定の近さに位置する１つ又は複数のネットワーク化照明ユニットを識別し、及びそれらと無線通信し、且つ１つ又は複数の照明効果を有する光を発するように識別された照明ユニットに指示する、システムに向けられる。照明効果は、数ある照明効果の中でも、高強度フラッシュ若しくは持続光等の強度、特定の色の光、又は方向性光であり得る。
【００５１】
[0057]  図１を参照すると、ある実施形態では、１つ又は複数の光源１２を含む照明ユニット１０が提供され、光源の１つ又は複数は、ＬＥＤベース光源でもよい。更に、ＬＥＤベース光源は、１つ又は複数のＬＥＤを有する。光源は、１つ又は複数の光源ドライバ１４（図２に示される）によって所定の特徴（即ち、色強度、色温度）の光を発するように駆動させることができる。様々な異なる色の放射を生成するように適合させた、多くの異なる数及び様々な種類の光源（全てＬＥＤベース光源、単独又は組み合わせのＬＥＤベース及び非ＬＥＤベース光源等）が、照明ユニット１０において用いられ得る。図１に示されるように、照明ユニット１０は、限定されることはないが、フロアランプ、テーブルランプ、スポットライト、シーリングライト、及び多くの他の種類の照明器具を含む任意の種類の照明器具でもよい。
【００５２】
[0058]  図１には、カメラ、ビデオカメラ、又は数ある中でもスチール写真撮影及びビデオ撮影によるものを含む、画像の取得を行うように構成された若しくは画像の取得が可能な任意の他のデバイスであり得る画像記録デバイス１６もある。画像記録デバイス１６は、カメラ又はビデオカメラ等の、画像の取得専用又は主に画像の取得専用のデバイスでもよいが、画像記録デバイス１６は、スマートフォン、ウェアラブルコンピュータ周辺機器、又は他のデバイス等の画像取得機能を有する任意のデバイスでもよい。
【００５３】
[0059]  ある実施形態によれば、画像記録デバイス１６は、それ自体が所有する、コントローラからの信号に応答して光の制御パルス又は持続性の明るい光を出力するフラッシュユニット又は光源１８を含む。画像記録デバイスは、例えば、画像又はターゲット２０（これは、記録されることが可能な任意の物体、人、シーン、又は他の物若しくは環境であり得る）の記録を取得するために利用することができる。画像記録デバイス１６は、ユーザインタフェース３７を用いてユーザが画像記録デバイスを制御するか、データを提供するか、又は本明細書に記載されるプロセス及び方法の１つ若しくは複数のステップを他に分析、理解、及び／若しくは操作することができる当該ユーザインタフェース３７も含む。
【００５４】
[0060]  図２をこれより参照すると、照明ユニット１０は、１つ又は複数の光源１２ａ〜ｄを駆動し、且つ光源から光の異なる強度及び／又は色を生成させるための１つ又は複数の信号を出力するように構成又はプログラムされたコントローラ２２を含む。例えば、コントローラ２２は、各光源によって生成される光の強度及び／若しくは色を個々に制御するために、光源グループを制御するために、又は全ての光源を一斉に制御するために、各光源用の制御信号を生成するようにプログラム又は構成され得る。別の態様によれば、コントローラ２２は、光源の強度を変化させるように光源を制御する光源ドライバ２４等の他の専用回路を制御する。コントローラ２２は、例えば、本明細書に説明される様々な機能を行うためのソフトウェアを使用してプログラムされたプロセッサ２６であり、又はプロセッサ２６を有し、及びメモリ２８との組み合わせで利用される。メモリ２８は、プロセッサ２６によって実行される１つ又は複数の照明コマンド又はソフトウェアプログラムを含むデータ、及び限定されることはないが、その照明ユニットの固有の識別子を含む様々な種類のデータを保存することができる。例えば、メモリ２８は、プロセッサ２６によって実行可能な、及び本明細書に記載される方法のステップの１つ又は複数をシステムに実行させる命令の組を含む非一時的コンピュータ可読ストレージ媒体でもよい。
【００５５】
[0061]  コントローラ２２は、以下により詳細に説明されるように、数ある中でも、周囲光条件及び時刻等の所定データに基づいて、光源１２の強度及び／又は色温度を光源ドライバ２４に調整させるようにプログラム、構築及び／又は構成される。コントローラ２２はまた、無線通信モジュール３４によって受信された通信に基づいて、光源１２の強度及び／又は色温度を光源ドライバ２４に調整させるようにプログラム、構築及び／又は構成される。
【００５６】
[0062]  照明ユニット１０は、数ある中でも、ＤＣ電源、太陽光ベースの電源、又は機械ベースの電源を含む他の電源が可能であるが、最も一般的にはＡＣ電力である電源３０も含む。電源は、外部電源から受け取った電力を照明ユニットによって使用可能な形態へと変換する電源変換器と動作可能に通信する。照明ユニット１０の様々な構成要素に電力を供給するために、それは、ライトユニットの構成要素に電力を供給する目的で、外部ＡＣ電源３０からＡＣ電力を受け取り、及びそれを直流へと変換するＡＣ／ＤＣ変換器（例えば、整流回路）も含む。更に、照明ユニット１０は、ＡＣ／ＤＣ変換器への接続によって再充電され、且つＡＣ電源３０への回路が開かれた際にコントローラ２２及び光源ドライバ２４に電力を供給することができる、充電式電池又はコンデンサ等のエネルギー蓄積デバイスを含む。
【００５７】
[0063]  加えて、照明ユニット１０は、コントローラ２２の入力に接続され、及び照明ユニット１０の近くの周囲光データを集め、且つそれが集めた周囲光データを表すデータをコントローラ２２へ又は無線通信モジュール３４を用いて外部へ送信することができる、フォトダイオード等の光センサ３２を含む。実施形態によっては、センサ３２は、照明ユニット１０から離れた場所にあり、及び照明ユニットの無線通信モジュール３４に取得されたセンサデータを送信する。無線通信モジュール３４は、例えば、コントローラ２２と通信状態で配置されるWi-Fi（登録商標）、Bluetooth（登録商標）、ＩＲ、無線、若しくは近距離無線通信でもよく、又は代替的に、コントローラ２２は、無線通信モジュールと一体化される。
【００５８】
[0064]  画像記録デバイス１６は、限定されることはないが、Wi-Fi（登録商標）、Bluetooth（登録商標）、ＩＲ又は近距離無線通信（ＮＦＣ：near field communication）チップを含む任意の通信デバイス又はプロトコルであり得る無線通信モジュール３６を含む。画像記録デバイス１６は、画像記録デバイス１６の近くの周囲光データを集め、且つそれが集めた周囲光データを表すデータを内部へ又は無線通信モジュール３６を用いて外部へ送信することができる、フォトダイオード等のセンサ３８を含む。
【００５９】
[0065]  照明ユニット１０は、本明細書に説明される様々な機能を行うためのソフトウェアを使用してプログラムされたプロセッサ３３を含み、メモリ３５との組み合わせで利用される。メモリ３５は、プロセッサ３３によって実行される１つ又は複数の照明コマンド又はソフトウェアプログラムを含むデータ、及び様々な種類のデータを保存することができる。例えば、メモリ３５は、プロセッサ３３によって実行可能な、及び本明細書に記載される方法のステップの１つ又は複数をシステムに実行させる命令の組を含む非一時的コンピュータ可読ストレージ媒体でもよい。
【００６０】
[0066]  図４を参照すると、本発明の一実施形態による照明プロファイルを決定する方法４６０を示すフローチャートが開示される。ステップ４００では、照明ユニット１０が準備される。照明ユニット１０は、本明細書に記載されるか又は他に想定される実施形態の何れでもよく、図１及び図２と合わせて記載された照明ユニットの構成要素（例えば、１つ又は複数のＬＥＤベース光源１２、光源ドライバ２４、コントローラ２２、センサ３２、無線通信モジュール３４等）の何れも含み得る。
【００６１】
[0067]  ステップ４１０では、画像記録デバイス１６が準備される。画像記録デバイス１６は、カメラ、ビデオカメラ、又は数ある中でもスチール写真撮影及びビデオ撮影によるものを含む、画像を取得するように構成された若しくは画像の取得が可能な任意の他のデバイスでもよい。一般的に、画像記録デバイス１６は、本明細書に記載されるか又は他に想定される実施形態の何れでもよく、図１及び図２と合わせて記載されたデバイスの構成要素（例えば、１つ又は複数のＬＥＤベース光源１２、センサ３８、無線通信モジュール３６等）の何れも含み得る。
【００６２】
[0068]  ステップ４２０では、ターゲット２０が準備されるか、又は他に識別される。ターゲット２０は、例えば、記録されることが可能な任意の物体、人、シーン、又は他の物若しくは環境である。単なる一例として、ターゲット２０は、一人の人、又は人のグループでもよい。ターゲット２０は、静止ターゲットであり、又は環境中を移動する。
【００６３】
[0069]  ステップ４３０では、画像記録デバイス又は画像取得システムの別の構成要素が、画像記録デバイスに対する第１の距離５０内に位置する１つ又は複数の周囲照明ユニット１０を識別する。ある実施形態によれば、第１の距離５０は、任意の所定の、ユーザ選択の、又は応答性の距離である。例えば、図５に示されるように、第１の距離５０は、画像取得デバイス１６から外側に延びる半径ｒの円である。図６では、第１の距離５０は、ターゲット２０から外側に延びる半径ｒの円である。半径ｒは、例えば、任意の望ましい距離でよいが、好ましくは、その半径内に配置される照明ユニット１０からの照明効果がターゲット２０に影響を与えることができる距離である。実質的に円形に加えて、第１の距離５０は、二次元及び／又は三次元空間の両方において、任意の形状又はサイズでもよい。例えば、それは、ターゲット２０の上部、ターゲット２０の隣、ターゲット２０の下部、ターゲット２０の直近、及び／又はターゲット２０から幾らか離れて位置する照明ユニットを含み、除外し、又はそれらに限定される。図７では、例えば、第１の距離５０は、環境中に存在する１つ又は複数の自然の境界線によって部分的に又は全体的に定義される。例えば、画像記録デバイス１６又は画像記録システムは、部屋７０内に位置する各照明ユニット１０を識別及び／又は選択するが、隣接した部屋７２に位置する照明ユニット１０を識別及び／又は選択から除外する。
【００６４】
[0070]  ある実施形態によれば、第１の距離５０は、所定の又は予めプログラムされた距離である。それは、例えば、照明ユニット１０、画像取得デバイス１６、又はターゲット２０からの所定の又はプログラムされた距離でもよい。所定の又はプログラムされた距離は、例えば照明ユニット１０又は画像取得デバイス１６の製造中に決定又はプログラムされる。単なる一例として、所定の又はプログラムされた距離は、照明ユニット１０、画像取得デバイス１６、又はターゲット２０から約２０フィート等の特定の距離に設定される。この距離は、照明ユニット１０若しくは画像取得デバイス１６の１つ若しくは複数の特徴、照明ユニット１０若しくは画像取得デバイス１６が利用される若しくは利用され得る環境、ターゲット２０の１つ若しくは複数の特徴、及び／又は多種多様の他の要因を含む様々な要因に応じて、遙かに近いか又は遙かに離れていることができる。所定の又はプログラムされた距離に基づいた選択は、ユーザ介入の無い自動であることができ、又は後続のユーザ介入に基づく。
【００６５】
[0071]  ある実施形態によれば、第１の距離５０は、ユーザ入力によって及び／又はユーザ入力に基づいて決定される。例えば、画像取得デバイス１６は、それによってユーザが第１の距離５０の１つ又は複数のパラメータを設定するか、選択するか、限定するか、又は他に定義若しくは特徴付けるユーザ入力を含む。例えば、ユーザは、半径、外周、形状、又は他の定義を定義し得る。選択は、プルダウンメニュー、ボタン、スクロール、若しくは他の単純な選択機構のように単純なものでもよく、又はアルゴリズム、計算、若しくはユーザインタフェース３７を用いた他の選択態様に基づく。単なる一例として、ユーザは、ユーザ及び／又は画像取得デバイス１６が位置する部屋のサイズに基づいて半径を選択、推定又は推測し、それに基づいて第１の距離５０が決定され、及び／又は第１の距離５０がそれに基づくユーザ入力としてその半径を入力する。別の例として、ユーザは、数ある選択及び定義の中でも、「現在の部屋」、「１０フィート以内」、「近くのライト全て」、「シーリングライトのみ」等の予めプログラムされたボタン又は他の選択を単純に選択する。更に別の例として、ユーザは、画像取得デバイス１６から又は画像取得デバイス１６に対して特定の範囲、距離、又は位置内にあると、画像取得デバイス１６又はシステムによって識別された１つ又は複数の照明ユニット１０を選択する。識別された照明ユニットは、マップ、リスト、又は他の表示技術としてユーザに提示することができ、及びユーザは、識別された照明ユニット１０の何れも選択しないか、１つ、幾つか、又は全てを選択することができる。上記に加えて、ユーザ入力によって第１の距離５０を決定又は定義する多くの他の態様が存在する。更に、上記に加えて、照明ユニット１０を識別及び／又は選択する多くの他の態様が存在する。
【００６６】
[0072]  ある実施形態によれば、第１の距離５０は、センサデータによって及び／又はセンサデータに基づいて決定される。例えば、画像取得デバイス１６は、それによって画像取得デバイス１６及び／又はシステムが第１の距離５０の１つ又は複数のパラメータを設定するか、選択するか、限定するか、又は他に定義若しくは特徴付けるセンサ３８を含む。例えば、センサは、画像取得デバイス１６及び／又はターゲット２０を取り巻く環境における周囲光の質を測定又は特徴付けるフォトダイオード又は他のセンサでもよい。周囲光が十分であれば、第１の距離５０は、ゼロ若しくは非常に小さいことができ、又は第１の距離内で識別された照明ユニット１０は、フィルタリングされ、若しくは本態様における後続の使用に関して他に制限される。周囲光が不十分であれば、第１の距離５０は、大きくても小さくてもよく、又は第１の距離内で識別された照明ユニット１０は、本態様における後続の使用のために他に変更される。単なる一例として、画像取得デバイス１６は、周囲光センサを備えたスマートフォン又はカメラでもよい。別の例として、第１の距離内で識別された照明ユニット１０の１つ又は複数は、識別された照明ユニット１０、画像取得デバイス１６、及び／又はターゲット２０を取り巻く環境における周囲光の質を測定又は特徴付けるフォトダイオード又は他のセンサ等のセンサ３２を有する。第１の距離５０及び第１の距離５０内で識別される照明ユニットを定義するか、限定するか、拡張するか、又は他に特徴付ける及び／若しくは変更するためにセンサ情報を使用することができる多くの態様が存在する。
【００６７】
[0073]  画像記録デバイスに対して第１の距離５０内に位置する１つ又は複数の周囲照明ユニット１０を識別するステップの一例として、図５の画像記録デバイス１６は、無線通信モジュール３６を用いて信号を一斉送信する。照明ユニット１０ａ〜ｇは、一斉送信信号を受信し、信号を分析し、及び無線通信モジュール３４を用いて画像記録デバイスに信号を一斉送信し返す。照明ユニットによる分析は、セキュリティプロトコル、又は画像記録デバイスからの信号を確認する若しくは認証する何らかの他の態様に関与する。例えば、照明ユニット１０は、図３に示されるように、承認を要求するために、有線又は無線デバイス６０及び／又はネットワーク６２によってローカルに又は外的にデータベースと通信する。別の例として、照明ユニット１０は、数ある中でも、特定のデバイス、個人、若しくは場所からの、又は特定の時間若しくは日付に信号を承認するようにプログラムされる。更に別の例として、照明ユニット１０は、画像記録デバイスからの信号に応じて応答又は起動するために、画像記録デバイス又はユーザからのパスワード又はＰＩＮコードを必要とする。
【００６８】
[0074]  画像記録デバイス１６は、次に、一斉送信範囲内の１つ又は複数の照明ユニットから一斉送信された信号を受信し、次に、その情報を分析し、及び／又はユーザに提示することができる。例えば、画像記録デバイス１６は、信号待ち時間、ＧＰＳ、識別コード、又は他の測定システムに基づいて、それ自体及び／又はターゲット２０に対する１つ又は複数の照明ユニット１０の各々の近似位置を決定することができる。１つ又は複数の照明ユニット１０の何れが本方法の他のステップにおいて利用されるかを、本明細書の他の箇所に記載される方法又は機構の１つ又は複数に基づいて決定することができる。
【００６９】
[0075]  ある実施形態によれば、画像記録デバイス１６は、デバイス及び／又はユーザが本方法の１つ又は複数のステップを完了させることを可能にするソフトウェアプログラム又はアプリケーションを含み得る。例えば、ソフトウェアプログラム又はアプリケーションは、それによってユーザが本方法の１つ又は複数のステップを行う又は指示するユーザインタフェースを含む。別の例として、ソフトウェアプログラム又はアプリケーションは、ユーザが写真を撮るか、又はビデオを記録する際に、本方法のステップが自動的に行われるように自動化される。
【００７０】
[0076]  図５を参照すると、画像記録デバイス１６は、照明ユニット１０ａ〜１０ｇの各々によって受信される信号を一斉送信する。照明ユニット１０ａ〜１０ｇの各々は、任意選択的に信号を認証又は他に分析した後、無線信号を画像記録デバイス１６に送信することによって応答する。ある実施形態によれば、画像記録デバイス１６と、照明ユニット１０ａ〜１０ｇの１つ又は複数との間の通信は、少なくとも部分的に、有線若しくは無線デバイス６０及び／若しくはネットワーク６２を介して、又は代替的に、画像記録デバイス１６及び／若しくは照明ユニット１０ａ〜１０ｇの１つ若しくは複数と通信する無線デバイス６０によってアクセスされたネットワーク６２を介して行われる。画像記録デバイス１６は、受信データを分析し、及び照明ユニット１０ａ〜１０ｇの１つ又は複数の位置の近似マップを作成、検索、又は他に決定する。第１の距離５０及び／又はユーザ入力を用いて、画像記録デバイス１６は、次に、照明ユニット１０ａ〜１０ｇの何れが本方法の他のステップにおいて利用されるかを選択する。例えば、照明ユニット１０ａ、１０ｂ、及び１０ｃは、第１の距離５０内に位置し、及び本方法の他のステップにおいて利用される。照明ユニット１０ｄ、１０ｅ、及び１０ｆは、第１の距離５０内に位置せず、及び本方法の他のステップにおいて利用されない。照明ユニット１０ｇは、第１の距離５０の境界線上に位置し、及び例えばユーザ入力、予めプログラムされたアルゴリズム、又はセンサデータに基づいて使用されてもよく、又は使用されなくてもよい。
【００７１】
[0077]  図６においても同様に、画像記録デバイス１６は、照明ユニット１０ａ〜１０ｇの各々によって受信される信号を一斉送信する。照明ユニット１０ａ〜１０ｇの各々は、任意選択的に信号を認証又は他に分析した後、無線信号を画像記録デバイス１６に送信することによって応答する。画像記録デバイス１６は、受信データを分析し、及び照明ユニット１０ａ〜１０ｇの１つ又は複数の位置の近似マップを作成、検索、又は他に決定する。この例では、システムは、ターゲット２０の周囲の第１の距離５０を定義する。ターゲット２０に関する情報は、ターゲットを特徴付ける数ある態様の中でも、システムへのユーザ入力によって又はセンサによって取得される。第１の距離５０及び／又はユーザ入力を用いて、画像記録デバイス１６は、次に、照明ユニット１０ａ〜１０ｇの何れが本方法の他のステップにおいて利用されるかを選択する。例えば、照明ユニット１０ａ、１０ｂ、及び１０ｃは、ターゲット２０からの第１の距離５０内に位置し、及び本方法の他のステップにおいて利用される。照明ユニット１０ｄ、１０ｅ、及び１０ｆは、ターゲット２０からの第１の距離５０内に位置せず、及び本方法の他のステップにおいて利用されない。照明ユニット１０ｇは、ターゲット２０からの第１の距離５０の境界線上に位置し、及び例えばユーザ入力、予めプログラムされたアルゴリズム、又はセンサデータに基づいて使用されてもよく、又は使用されなくてもよい。
【００７２】
[0078]  図７を参照すると、画像記録デバイス１６は、照明ユニット１０ａ〜１０ｇの各々によって受信される信号を一斉送信する。照明ユニット１０ａ〜１０ｇの各々は、任意選択的に信号を認証又は他に分析した後、無線信号を画像記録デバイス１６に送信することによって応答する。画像記録デバイス１６は、受信データを分析し、及び照明ユニット１０ａ〜１０ｇの１つ又は複数の位置の近似マップを作成、検索、又は他に決定する。この例では、システムは、部屋７０及び７２を含む環境の概略図の周囲の第１の距離５０を定義する。概略図情報は、数ある情報源の中でも、プログラムされ、予め決定され得、ユーザデータに基づき、及び／又はセンサデータに基づく。環境内の各照明ユニットの位置に基づいて、画像記録デバイス１６は、次に、照明ユニット１０ａ〜１０ｇの何れが本方法の他のステップにおいて利用されるかを選択する。例えば、照明ユニット１０ａ、１０ｂ、１０ｃ、及び１０ｄは、部屋７０内に位置し（即ち、第１の距離５内に位置する）、及び本方法の他のステップにおいて利用される。照明ユニット１０ｅ、１０ｆ、及び１０ｇは、部屋７０内に位置せず、代わりにそれらは隣接する部屋７２内にあり、及び本方法の他のステップにおいて利用されない。
【００７３】
[0079]  本方法のステップ４４０において、画像記録デバイス１６は、無線通信モジュール３６を用いて、複数の照明効果の１つ又は複数を発する又は作り出すコマンド又は要求を識別された照明ユニット１０に通信し、それによって、画像記録デバイスが画像を取得するか、又はビデオを記録する際に、ターゲットの照明を行うか、又は他にターゲットに影響を与える。例えば、１つ又は複数の照明効果は、数ある照明効果の中でも、高強度フラッシュ若しくは持続光等の強度、特定の色の光、又は方向性光でもよい。
【００７４】
[0080]  一例として、画像記録デバイス１６から識別された照明ユニット１０へ通信されるコマンド又は要求は、画像記録デバイス１６が静止画像を撮る際に明るいフラッシュ、パルス、又はタイミングを合わせた期間の光を発するように１つ又は複数の光源に指示し得る。例えば、スマートフォンは、非常に限られたフラッシュ機能を有することが多く、及びユーザがスマートフォンを用いて画像を取得する際に非常に明るい光のフラッシュを発するように識別された照明ユニット１０に指示する。別の例として、画像記録デバイス１６から識別された照明ユニット１０へ通信されるコマンド又は要求は、ビデオを記録する際等に、第１の期間の間、第１の色又は輝度の光を発し、次に第２の色又は輝度の光に切り替える又は遷移するように１つ又は複数の光源に指示する。
【００７５】
[0081]  任意選択的なステップ４４２において、ユーザは、画像記録デバイスが画像を取得するか、又はビデオを記録する際に、複数の照明効果の１つ又は複数を用いてターゲットの照明を行う要求に関して、ユーザインタフェース３７を用いて画像記録デバイス１６又は画像記録システム２００とインタラクトする。例えば、ユーザは、照明効果を発するように識別された１つ又は複数の周囲照明ユニットに対して画像記録デバイス１６又は画像記録システム２００にコマンド又は要求を送らせる、シャッターボタン又は録画ボタン等のボタンを押す。
【００７６】
[0082]  ステップ４５０では、画像記録デバイス１６は、照明効果が行われる際に画像又はビデオを取得する。照明ユニット１０と画像の取得又は記録とを連携させるために、画像記録デバイス１６及び照明ユニット１０の一方又は両方が、クロック又はタイミングを容易にする他の機構を含む。
【００７７】
[0083]  別の実施形態によれば、画像記録デバイス１６及び照明ユニット１０を含むシステム２００がある。画像記録デバイス１６は、カメラ、ビデオカメラ、又は数ある中でもスチール写真撮影及びビデオ撮影によるものを含む、画像を取得するように構成された若しくは画像の取得が可能な任意の他のデバイスでもよい。一般的に、画像記録デバイス１６は、本明細書に記載されるか又は他に想定される実施形態の何れでもよく、図１及び図２と合わせて記載されたデバイスの構成要素（例えば、１つ又は複数のＬＥＤベース光源１２、センサ３８、無線通信モジュール３６等）の何れも含み得る。画像記録デバイス１６は、限定されることはないが、Wi-Fi（登録商標）、Bluetooth（登録商標）、ＩＲ、又は近距離無線通信（ＮＦＣ）チップを含む任意の通信デバイス又はプロトコルであり得る無線通信モジュール３６を含む。画像記録デバイス１６は、画像記録デバイス１６の近くの周囲光データを集め、且つそれが集めた周囲光データを表すデータを内部へ又は無線通信モジュール３６を用いて外部へ送信することができる、フォトダイオード等のセンサ３８を含む。
【００７８】
[0084]  システム２００は同様に、１つ又は複数の照明ユニット１０を含む。照明ユニット１０は、本明細書に記載されるか又は他に想定される実施形態の何れでもよく、図１及び図２と合わせて記載された照明ユニットの構成要素（例えば、１つ又は複数のＬＥＤベース光源１２、光源ドライバ２４、コントローラ２２、センサ３２、無線通信モジュール３４等）の何れも含み得る。無線通信モジュール３４は、例えば、コントローラ２２と通信状態で配置されるWi-Fi（登録商標）、Bluetooth（登録商標）、ＩＲ、若しくは近距離無線通信でもよく、又は代替的に、コントローラ２２は、無線通信モジュールと一体化される。
【００７９】
[0085]  システム２００は同様に、１つ又は複数のターゲット２０を含む。ターゲット２０は、例えば、記録されることが可能な任意の物体、人、シーン、又は他の物若しくは環境である。単なる一例として、ターゲット２０は、一人の人、又は人のグループでもよい。ターゲット２０は、静止ターゲットであり、又は環境中を移動する。
【００８０】
[0086]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００８１】
[0087]  本明細書にて定義されかつ用いられた定義はすべて、辞書の定義、参照することにより組み込まれた文献における定義、及び／又は、定義された用語の通常の意味に優先されて理解されるべきである。
【００８２】
[0088]  本明細書及び特許請求の範囲にて使用される「ａ」及び「ａｎ」の不定冠詞は、特に明記されない限り、「少なくとも１つ」を意味するものと理解されるべきである。
【００８３】
[0089]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。
【００８４】
[0090]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。「〜のうちの１つのみ」又は「ちょうど１つの」といった反対を明らかに示す用語、又は、特許請求の範囲に用いられる場合は、「〜からなる」という用語だけが、多数の要素又は要素のリストのうちのまさに１つの要素が含まれることを指す。
【００８５】
[0091]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００８６】
[0092]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。請求項において、括弧内に登場する任意の参照符号は、便宜上、提供されているに過ぎず、当該請求項をいかようにも限定することを意図していない。
【００８７】
[0093]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006564387.tif 000002
【図２】
0006564387.tif 000003
【図３】
0006564387.tif 000004
【図４】
0006564387.tif 000005
【図５】
0006564387.tif 000006
【図６】
0006564387.tif 000007
【図７】
0006564387.tif 000008